(57)【要約】【課題】前耳部が軒樋の前壁から前方に突出していない軒樋デザインにしても軒樋の前耳部が軒樋吊り具の前保持部に対して外れないように確実に支持できる軒樋の支持構造を提供する。【解決手段】軒樋６の前壁６ａの上端から後方に向けて突設した連出片９に内部が中空で断面略半円状の前耳部７を上が平面部１０になるように設ける。軒先に基部を固定した軒樋吊り具１の先端に設けた上を開口せる断面略半円状の前保持凹部４内に上記前耳部７を嵌合して収納すると共に前保持凹部４の後部の上端から前方に突設した係止片１１を前耳部７の平面部１０に係止する。【選択図】        図１
2004211466.tif 000002
【特許請求の範囲】
【請求項１】
軒樋の前壁の上端から後方に向けて突設した連出片に内部が中空で断面略半円状の前耳部を上が平面部になるように設け、軒先に基部を固定した軒樋吊り具の先端に設けた上を開口せる断面略半円状の前保持凹部内に上記前耳部を嵌合して収納すると共に前保持凹部の後部の上端から前方に突設した係止片を前耳部の平面部に係止して成ることを特徴とする軒樋の支持構造。
【請求項２】
軒樋を軒樋吊り具に支持した状態で断面略半円状の前耳部の上の平面部が水平面に対して後側がやや下がるように傾斜する面に形成されたことを特徴とする請求項１記載の軒樋の支持構造。
【請求項３】
断面略半円状の前耳部は断面略半円状の前保持凹部の内面に内接する多角形状に形成されたことを特徴とする請求項１または請求項２記載の軒樋の支持構造。
【請求項４】
係止片の先端と前耳部の平面部とが係着突起と係着凹部との係着で係着されたことを特徴とする請求項１乃至請求項３記載の軒樋の支持構造。
【発明の詳細な説明】
【０００１】
【発明の属する技術分野】
本発明は、軒先に取り付けた軒樋吊り具に軒樋を吊り支持する構造に関するものである。
【０００２】
【従来の技術】
軒先に取り付けた軒樋吊り具に軒樋を支持したときに上への外力で軒樋が外れにくいようにする構造のものとして図１４に示すもの（例えば、特許文献１参照）や図１５に示すもの（例えば、特許文献２参照）がある。
【０００３】
図１４に示すものは次のように構成されている。軒樋吊り具１は建物の軒先２に取り付け板３を固定することで取り付けてあり、軒樋吊り具１の前端には略Ｌ字状の前保持部４′を設けてあり、軒樋吊り具１の後部には略コ字状の後保持部５を設けてある。軒樋６の前壁６ａの上端には前方に突出するように前耳部７′を設けてあり、前耳部７′内には嵌合溝ａを設けてあり、軒樋６の後壁６ｂの上端には後耳部８を設けてある。そして軒樋６を軒樋吊り具１に吊り支持する場合、軒樋吊り具１の前保持部４′を前耳部７′の嵌合溝ａ内に挿入して嵌合し、この状態で軒樋６を回転して後耳部８を後保持部５内に嵌合することで軒樋６を支持していた。前耳部７′では前耳部７′の下面ｂが前保持部４′の下方に位置するために前耳部７′に上方に引っ張るような力がかかっても前耳部７′が前保持部４′から外れるようなことがない。
【０００４】
図１５に示すものは次のように構成されている。軒樋吊り具１は建物の軒先２に取り付け板３を固定することで取付けてあり、軒樋吊り具１の先端から上方に立ち上げた立ち上がり片ｃの上端に前保持部４′を設けてあり、軒樋吊り具１の後部には略コ字状の後保持部５を設けてある。軒樋吊り具１の先端から下方に垂下片ｄを垂下してあり、垂下片ｄには係止突起ｅを突設してある。軒樋６の前壁６ａの上端には後方に向けて連出した連出片９を設けてあり、連出片９の先端には前耳部７′を設けてあり、前耳部７′と前壁６ａの上端との間に嵌合溝ｆを設けてあり、軒樋６の後壁６ｂの上端には後耳部８を設けてある。そして軒樋６を軒樋吊り具１に支持する場合、軒樋吊り具１の前保持部４′を軒樋６の嵌合溝ｆに嵌合し、この状態で軒樋１を回転して後耳部８を後保持部５に嵌合することで軒樋６を支持していた。このとき軒樋吊り具１に垂下片ｄを設けてあり、軒樋６の底壁６ｃの上方に垂下片ｄの下端が位置することにより軒樋６が上に浮き上がって前耳部７′が前保持部４′から外れないようになっている。また軒樋６を取り付けたとき、係止突起ｅが軒樋６の被係止突起ｇに係止することでも前耳部７′が前保持部４′から外れないようになっている。
【０００５】
【特許文献１】
特開２００２−１０６１２４号公報
【特許文献２】
特開平９−１５１５８０号公報
【０００６】
【発明が解決しようとする課題】
ところで、図１４に示す従来例では軒樋６の前壁６ａの上端に外面側である前方に突出するように前耳部７′を設けてあるために前耳部７′に上方への力がかかっても、前耳部７′の下面ｂが前保持部４′の下方に位置することで前耳部７′が前保持部４′から外れるようなことがないが、前耳部７′が外面側である前方に突出したデザインとなり、前耳部７′が外面側に突出しないデザインのものは上記の構造では対応できないという問題がある。
【０００７】
また図１５に示すものでは係止突起ｅを被係止突起ｇに係止すること、または軒樋吊り具１の先端から下方に垂下片ｄを垂下することで前耳部７′が前保持部４′から外れないようになっており、前耳部７′が外面側に突出しないデザインでも前耳部７′に上方に力がかかった場合前耳部７′が前保持部４′から外れないようになっているが次の問題がある。係止突起ｅを被係止突起ｇに係止するようにしたものの場合、軒樋６の前壁６ａの内面に被係止突起ｇを長手方向に亙って設ける必要があり、軒樋６の成形的に複雑になるという問題があり、また軒樋６を接続する部材である継手もそれに合わせた形状にする必要があり、水漏れに関しても問題がある。また垂下片ｄを垂下することで前耳部７′が前保持部４′から外れないようにするものでは軒樋６のサイズが変わると、それに合わせて軒樋吊り具１を専用で用意する必要があり、投資コストの面でも不利であるという問題がある。
【０００８】
本発明は上記の点に鑑みてなされたものであり、前耳部が軒樋の前壁から前方に突出していない軒樋デザインにしても軒樋の前耳部が軒樋吊り具の前保持部に対して外れないように確実に支持できる軒樋の支持構造を提供することを課題とするものである。
【０００９】
【課題を解決するための手段】
上記課題を解決するための本発明の軒樋の支持構造は、軒樋６の前壁６ａの上端から後方に向けて突設した連出片９に内部が中空で断面略半円状の前耳部７を上が平面部１０になるように設け、軒先に基部を固定した軒樋吊り具１の先端に設けた上を開口せる断面略半円状の前保持凹部４内に上記前耳部７を嵌合して収納すると共に前保持凹部４の後部の上端から前方に突設した係止片１１を前耳部７の平面部１０に係止して成ることを特徴とする。上記のように構成したことにより軒樋６の前耳部７を前保持凹部４の前端と係止片１１の先端との間の開口１４から挿入して軒樋６の回転にて前耳部７全体を前保持凹部４に収まるように嵌合することにより、前耳部７の平面部１０が係止片１１に係止して前耳部７が上方への外力にて外れないように取り付けられる。このように前耳部７を上方への外力にて外れないように取り付けることにより、前耳部７が前方に突出しない軒樋デザインでも前耳部７が上方に外れないように取り付けることができ、しかも軒樋６に外れを防止するための係止手段を設けたりする必要がなくて軒樋６や継手の成形が複雑にならないと共に接続部の水漏れを防止でき、さらに軒樋６のサイズが変わっても同じ軒樋吊り具１にて支持できる。
【００１０】
また軒樋６を軒樋吊り具１に支持した状態で断面略半円状の前耳部７の上の平面部１０が水平面に対して後側がやや下がるように傾斜する面に形成されたことを特徴とすることも好ましい。後側が下がるように水平面に対して傾斜した平面部１０に平面部１０と平行な係止片１１が係止することとなり、軒樋６が変形することにより前耳部７が回転しても前耳部７が抜けにくくなり、前耳部７が一層外れにくくなる。
【００１１】
また断面略半円状の前耳部７は断面略半円状の前保持凹部４の内面に内接する多角形状に形成されたことを特徴とすることも好ましい。鋼板等の金属板を曲げ形成する軒樋６の場合、前耳部７の寸法安定性が向上する。
【００１２】
また係止片１１の先端と前耳部７の平面部１０とが係着突起１２と係着凹部１３との係着で係着されたことを特徴とすることも好ましい。係止片１１の前耳部７の平面部１０への係止に加えて係着突起１２と係着凹部１３との係着で固定されて前耳部７が一層外れにくいように固定される。
【００１３】
【発明の実施の形態】
軒樋６は図１、図７に示すように前壁６ａと後壁６ｂと底壁６ｃとで構成されており、前壁６ａの上端から後方に向けて連出片９を連出してあり、連出片９の先端には前耳部７を一体に設けてあり、後壁６ｂの上端には断面矩形状の後耳部８を一体に設けてある。前耳部７は内部が中空の断面略半円状に形成されており、上方が平面部１０となっている。
【００１４】
軒樋吊り具１は基部である後端には軒先に取り付けるための取り付け板３を設けてあり、軒樋吊り具１の前端には前保持凹部４を一体に設けてあり、軒樋吊り具１の後端には略コ字状の後保持部５を設けてある。前保持凹部４は上面を開口せる略半円状に形成されており、前保持凹部４の後端の上端から前方に向けて係止片１１を突設してある。この係止片１１は係止片１１の先端が前保持凹部４の半円の中心位置に位置するように突設してある。前保持凹部４の前端の上端と係止片１１の先端との間には開口１４を設けてある。上記略半円状の前耳部７の半径をＲ１、略半円状の前保持凹部４の半径をＲ２としたとき、Ｒ１≦Ｒ２の関係になるようにしてある。
【００１５】
軒樋吊り具１の取り付け板３は軒先に固着されており、この軒樋吊り具１に次のように軒樋６が取り付けられる。軒樋６の底壁６ｃが鉛直方向を向くように軒樋６を向けた状態で前耳部７は開口１４から挿入されて図２（ａ）に示すように前耳部７の先端側の半分が前保持凹部４に挿入され、この状態から軒樋６の底壁６ｃが水平になるように回転操作することで図２（ｂ）（ｃ）に示すように前耳部７が前保持凹部４に収まるように嵌合させる。このとき、軒樋６の後耳部８が後保持部５に嵌合して後耳部８が保持される。図２（ｃ）のように前耳部７が前保持凹部４内に収まると、前耳部７の平面部１０に係止片１１が係止し、前耳部７に上方への力がかかっても前耳部７が外れるおそれがない。
【００１６】
また軒樋６に軒樋６を変形させるような力がかかって前耳部７に回転するような力かかっても外れることがない。つまり、図３（ａ）の状態から図３（ｂ）の状態を経て図３（ｃ）の状態になるまで前耳部７が回転しないと前耳部７が外れることがなく、前耳部７が外れるおそれがない。このとき、図３（ｄ）のように前耳部７の平面部１０や係止片１１が後方程下がるように水平面に対して傾斜させてある（符号αに示す角度）と、前耳部７が外れる向きの角度が図３（ｃ）のものよりさらに大きくなり、一層前耳部７が外れるおそれがない。
【００１７】
前耳部７は略半円状であるが、図４に示すように半円に近似した多角形状であってもよい。例えば正六角形や正八角形を半分に割ったような形状でもよい。このように前耳部７を前保持凹部４に内接する多角形にしても、半円状のものと同等の効果を得ることができる。このようにすると、製造時（特に鋼板のような金属板を曲げて作るもの等）は角部が直線の方が形状及び寸法が安定しやすい。
【００１８】
上記の前耳部７の形状のうち重要な部分は図５に示すＡ点、Ｂ形状及び平面部１０であるが、符号Ｃに示す面は軒樋６の外れ防止に殆ど役目を果たしていない。従って、この符号Ｃに示す面は図６（ａ）や図６（ｂ）の形状になっていても構わない。このようになっていても、図６（ｃ）に示すように前耳部７を前保持凹部４内に挿入して前耳部７を前保持凹部４内に嵌めて装着できる。
【００１９】
上記のように軒樋吊り具１に軒樋６を取り付けることができるが、前耳部７や後耳部８の形状、位置を変化させなければ、軒樋６の他の部分の形状が変化しても軒樋吊り具１が１種類でも対応することが可能となり、幅広いデザインバリエーションの軒樋６に１種類の軒樋吊り具１で対応することができる。例えば、軒樋６の前壁６ａが図１の符号Ｄに示す形状、符号Ｅに示す形状、符号Ｆに示す形状になっても対応することができる。なお、図７は上記例の軒樋６の具体的な取り付け状態を示すものである。
【００２０】
また図８は前耳部７を取り付けるより具体的な例を示すものである。前耳部７は図８（ａ）に示すように前保持凹部４内に開口１４から挿入され、図８（ｂ）（ｃ）（ｄ）に示すように前耳部７が回転させられ、図８（ｄ）に示すように前耳部７が前保持凹部４内に完全に収まるように嵌合され、前耳部７の平面部１０が係止片１１に係止させられる。前耳部７を前保持凹部４に嵌めて取り付けたとき平面部１０及び係止片１１が後部程下に下がるように傾斜しているために軒樋６が変形して前耳部７が回転しても前耳部７が外れるのを確実に防止できる。
【００２１】
また図９は前耳部７を多角形にした具体的な例を示すものである。この場合も、前耳部７が図９（ａ）に示すように前保持凹部４内に開口１４から挿入され、図９（ｂ）（ｃ）（ｄ）に示すように前耳部７が回転させられ、図９（ｄ）に示すように前耳部７が前保持凹部４内に完全に収まるように嵌合され、前耳部７の平面部１０が係止片１１に係止させられる。なお、図１０は上記のような例の具体的な軒樋６の取り付け状態を示すものであり、図１１は軒樋吊り具１の具体的な形状を示すものである。
【００２２】
また図１２は前耳部７を取り付ける具体的な他の例を示すものである。本例の場合、係止片１１の先端に略直角三角形状の係着突起１２を設けてあり、平面部１０に係着突起１２に係着し得る係着凹部１３を設けてある。この場合も、前耳部７が図１２（ａ）に示すように前保持凹部４内に開口１４から挿入され、図１２（ｂ）（ｃ）（ｄ）（ｅ）に示すように前耳部７が回転させられ、図１２（ｅ）に示すように前耳部７が前保持凹部４内に完全に収まるように嵌合され、前耳部７の平面部１０が係止片１１に係止させられる。このとき、係着突起１２が係着凹部１３に係着させられる。このとき平面部１０の係止片１１への係止に加えて係着突起１２の係止凹部１３への係着にて前耳部７が前保持凹部４内に係着することで前耳部７が一層外れないように固定される。
【００２３】
上記例では直角三角形状の係着突起１２を直角三角形状の係着凹部１３に係着するものについて述べたが、図１３（ａ）に示すようなフック状の係着突起１２が係着凹部１３に引っ掛かるように係着する構造になっていても、図１３（ｂ）に示すような蟻突起状の係着突起１２が係着凹部１３に引っ掛かるように係着する構造になっていても、その他の形状で係着するようになっていてもよい。
【００２４】
【発明の効果】
本発明の請求項１の発明は、軒樋の前壁の上端から後方に向けて突設した連出片に内部が中空で断面略半円状の前耳部を上が平面部になるように設け、軒先に基部を固定した軒樋吊り具の先端に設けた上を開口せる断面略半円状の前保持凹部内に上記前耳部を嵌合して収納すると共に前保持凹部の後部の上端から前方に突設した係止片を前耳部の平面部に係止しているので、軒樋の前耳部を前保持凹部の前端と係止片の先端との間の開口から挿入して軒樋の回転にて前耳部全体を前保持凹部に収まるように嵌合することにより、前耳部の平面部が係止片に係止して前耳部が上方への外力にて外れないように取り付けられるものであって、このように前耳部を上方への外力にて外れないように取り付けることにより、前耳部が前方に突出しない軒樋デザインでも前耳部が上方に外れないように取り付けることができものであり、しかも軒樋に外れを防止するための係止手段を設けたりする必要がなくて軒樋や継手の成形が複雑にならないと共に接続部の水漏れを防止できるものであり、さらに軒樋のサイズが変わっても同じ軒樋吊り具にて支持できるものである。
【００２５】
また本発明は請求項２の発明は、請求項１において、軒樋を軒樋吊り具に支持した状態で断面略半円状の前耳部の上の平面部が水平面に対して後側がやや下がるように傾斜する面に形成されたので、後側が下がるように水平面に対して傾斜した平面部に平面部と平行な係止片が係止することとなり、軒樋が変形することにより前耳部が回転しても前耳部が抜けにくくなり、前耳部が一層外れにくくなるものである。
【００２６】
また本発明の請求項３の発明は、請求項１または請求項２において、断面略半円状の前耳部は断面略半円状の前保持凹部の内面に内接する多角形状に形成されたので、鋼板等の金属板を曲げ形成する軒樋の場合、前耳部の寸法安定性が向上するものである。
【００２７】
また本発明の請求項４の発明は、請求項１乃至請求項３のいずれかにおいて、係止片の先端と前耳部の平面部とが係着突起と係着凹部との係着で係着されたので、係止片の前耳部の平面部への係止に加えて係着突起と係着凹部との係着で固定されて前耳部が一層外れにくいように固定されるものである。
【図面の簡単な説明】
【図１】本発明の実施の形態の一例の軒樋吊り具に軒樋を吊り支持した状態の断面図である。
【図２】（ａ）（ｂ）（ｃ）は同上の前耳部を前保持凹部に挿入して取り付ける状態を説明する断面図である。
【図３】（ａ）（ｂ）（ｃ）（ｄ）は同上の前耳部が軒樋吊り具から外れない機構を説明する説明図である。
【図４】同上の前耳部の他の例を説明する断面図である。
【図５】（ａ）（ｂ）は同上の前耳部の各部の役割を説明する説明図である。
【図６】（ａ）（ｂ）は同上の前耳部の他の例を示す断面図、（ｃ）は（ｂ）の前耳部を取り付ける状態を説明する断面図である。
【図７】同上の軒樋を取り付ける具体的な構造を示す断面図である。
【図８】（ａ）（ｂ）（ｃ）（ｄ）は同上の前耳部を取り付ける構造をより具体的に説明する断面図である。
【図９】（ａ）（ｂ）（ｃ）（ｄ）は同上の前耳部を取り付ける構造の他の例を説明する断面図である。
【図１０】同上の軒樋を取り付ける状態の具体的な断面図である。
【図１１】同上の軒樋吊り具を示し、（ａ）は正面図、（ｂ）は斜視図である。
【図１２】（ａ）（ｂ）（ｃ）（ｄ）（ｅ）は同上の前耳部を取り付ける構造の他の例を説明する断面図である。
【図１３】（ａ）（ｂ）は同上の係着突起と係着凹部の他の例の断面図である。
【図１４】一従来例を示す断面図である。
【図１５】他の従来例を示す断面図である。
【符号の説明】
１  軒樋吊り具
６  軒樋
６ａ  前壁
７  前耳部
９  連出片
１０  平面部
１１  係止片
１２  係着突起
１３  係着凹部
【図１】
2004211466.tif 000003
【図２】
2004211466.tif 000004
【図３】
2004211466.tif 000005
【図４】
2004211466.tif 000006
【図５】
2004211466.tif 000007
【図６】
2004211466.tif 000008
【図７】
2004211466.tif 000009
【図８】
2004211466.tif 000010
【図９】
2004211466.tif 000011
【図１０】
2004211466.tif 000012
【図１１】
2004211466.tif 000013
【図１２】
2004211466.tif 000014
【図１３】
2004211466.tif 000015
【図１４】
2004211466.tif 000016
【図１５】
2004211466.tif 000017